(57)【要約】      （修正有）【課題】衛生的にマスクを保管することができるマスクケースを提供する。【解決手段】マスクを収納するための凹状の第１凹部２１を具備する本体部２０と、凹状の第１凹部を閉じる蓋としての蓋部３０と、本体部と蓋部を、開閉可能に接続する連結部４０と、を有し、本体部は、連結部を折り曲げて、蓋部を閉じたときに、その閉じた状態を維持するロック部２６と、蓋部はロック部と係合する被ロック部３６と、をさらに有し、ロック部と被ロック部が係合することで蓋部を本体部に対して閉じた状態を維持する。【選択図】図１
0003229806.tif 000002
【実用新案登録請求の範囲】
【請求項１】
マスクを収納するための凹状の第１凹部を具備する本体部と、
前記凹状の第１凹部を閉じる蓋としての蓋部と、
前記本体部と前記蓋部を、開閉可能に接続する連結部と、を有し、
前記本体部は、前記連結部を折り曲げて、前記蓋部を閉じたときに、その閉じた状態を維持するロック部と、
前記蓋部は前記ロック部と係合する被ロック部と、をさらに有し、
前記ロック部と前記被ロック部が係合することで前記蓋部を前記本体部に対して閉じた状態を維持することができるマスクケース。
【請求項２】
前記蓋部は、マスクを収納するための凹状の第２凹部をさらに有する請求項１記載のマスクケース。
【請求項３】
前記本体部は、前記第１凹部を取り囲むように縁部と、を有し、
前記縁部は、前方に配置した前縁部と、側方に配置した側縁部と、を有し、
前記蓋部は、前記第２凹部を取り囲むように蓋縁部と、を有し、
前記蓋縁部は、前方に配置した前蓋縁部と、側方に配置した側蓋縁部と、を有し、
前記第２凹部は、上方に屹立した前リブと、上方に屹立した側リブと、を有し、
前記蓋部を閉じたときに、前記前縁部は、前記前蓋縁部と、前記前リブとの間に配置され、前記側縁部は、前記側蓋縁部と前記側リブとの間に配置される請求項２記載のマスクケース。
【請求項４】
前記マスクケースは、合成樹脂である請求項１から３いずれかに記載のマスクケース。
【考案の詳細な説明】
【技術分野】
【０００１】
本考案は、マスクを保管するマスクケースに関するものである。
【背景技術】
【０００２】
近頃、新型コロナウイルス（ＳＡＲＳ−Ｃｏｖ−２）の感染症（ＣＯＶＩＤ−１９）の流行により、そのウイルスを他人に移す可能性を軽減するために外出時にマスクをつけることが推奨されている。
【０００３】
一方で、外出時において例えば、食事をする際にそのマスクを一時的に外す場合がある。このような場合に使使用するマスクケースとして実用新案登録第３２２２１０３号公報が開示されている。この考案に係るマスクケースは、マスクを見栄えよく、かつ衛生的に収容するためのマスクケースであって、折り畳まれることによりマスクの本体部を挟み込む、抗菌性を有する紙製の保護シートと、折り畳まれることによりマスクの本体部および保護シートを挟み込む、保護シートよりも厚手の紙製の内側シートと、折り畳まれることによりマスクの本体部および保護シートを挟み込んだ内側シートを収容する紙製の外側シートとを備えているというものである。
【０００４】
しかしながら、上記マスクケースはいわば紙製であるためにマスクを一時的に保管することができるものの、いわば使い捨てという簡易的なものにすぎず、使用したマスクを消毒するためのものではない。
【先行技術文献】
【特許文献】
【０００５】
【特許文献１】実用新案登録第３２２２１０３号公報
【考案の開示】
【考案が解決しようとする課題】
【０００６】
本考案は前記の点に着目してなされたもので、その課題は、衛生的にマスクを保管することができるマスクケースを提供することである。
【課題を解決するための手段】
【０００７】
前記の課題を解決するために、第１観点のマスクケースは、マスクを収納するための凹状の第１凹部を具備する本体部と、凹状の第１凹部を閉じる蓋としての蓋部と、本体部と蓋部を、開閉可能に接続する連結部と、を有し、本体部は、連結部を折り曲げて、蓋部を閉じたときに、その閉じた状態を維持するロック部と、蓋部はロック部と係合する被ロック部と、をさらに有し、ロック部と被ロック部が係合することで蓋部を本体部に対して閉じた状態を維持するというものである。
【０００８】
また、第２観点のマスクケースは、第１観点のマスクケースにおいて、蓋部は、マスクを収納するための凹状の第２凹部をさらに有するというものである。
【０００９】
また、第３観点のマスクケースは、第２観点のマスクケースにおいて、本体部は、第１凹部を取り囲むように縁部と、を有し、縁部は、前方に配置した前縁部と、側方に配置した側縁部と、を有し、蓋部は、第２凹部を取り囲むように蓋縁部と、を有し、蓋縁部は、前方に配置した前蓋縁部と、側方に配置した側蓋縁部と、第２凹部は、上方に屹立した前リブと、上方に屹立した側リブと、を有し、蓋部を閉じたときに、前縁部は、前蓋縁部と、前リブとの間に配置され、側縁部は、側蓋縁部と側リブとの間に配置されるというものである。
【００１０】
また、第４観点のマスクケースは、第１観点から第３観点において、マスクケースは、合成樹脂であるというものである。
【考案の効果】
【００１１】
本考案は以上のように構成され、かつ、作用するものであるから、衛生的にマスクを保管することができるマスクケースを提供することができる。
【図面の簡単な説明】
【００１２】
【図１】開いた状態のマスクケースの斜視図である。
【図２】開いた状態のマスクケースの平面図である。
【図３】閉じた状態のマスクケースの平面図である。
【図４】図３のＩＶ−ＩＶ線断面図である。
【図５】図３のＶ−Ｖ線断面図である。
【図６】開いた状態のマスクケースにマスクを配置した状態図である。
【考案を実施するための最良の形態】
【００１３】
以下、図示の実施形態を参照してマスクケース１０について説明する。マスクケース１０は、ほぼ直方形状を呈し、本体部２０と、本体部２０を閉じる蓋としての蓋部３０とを有するものである。また、マスクケース１０は、本体部２０と、蓋部３０とを連結する連結部４０を有するものである。この連結部４０は薄板状であり折り曲げ可能に構成されている。従って、本体部２０を閉塞する場合にこの連結部４０を折り曲げることで蓋部３０がその本体部２０を閉塞することができる。また、マスクケース１０は合成樹脂製が好ましく、ポリプロピレンが好ましい。
【００１４】
また、連結部４０は、可撓性を有し折り曲げ可能に構成されている。上記の通り、連結部４０もマスクケース１０と同様に合成樹脂製が好ましく、ポリプロピレンが好ましい。また、この連結部４０は、後述する本体部２０における外延部２８と、蓋部３０における後蓋縁部３５に接続されている。
【００１５】
本体部２０は、凹状を呈する第１凹部２１を有している。第１凹部２１は後述するようにマスクＭを配置するためのものである。また、その第１凹部２１を取り囲むように、縁部２２を有する。縁部２２は、縁状であって前方に配した前縁部２３と、縁状であって側方に配置した側縁部２４、２４と、縁状であって後方に配置した後縁部２５とを有している。
【００１６】
また、本体部２０は、前縁部２３の外方に、突起状のロック部２６、２６が、配置されている。また、そのロック部２６とロック部２６との間に外方に突出する突起状の突起部２７を配置している。また、上述の側縁部２４、２４と、後縁部２５とを取り囲むように外延部２８を有している。
【００１７】
また、蓋部３０は、凹状を呈する第２凹部３１を有している。第２凹部３１は第１凹部２１にマスクＭを配置したときに、そのマスクＭにかぶせるためのものである。また、その第２凹部３１の周囲は、縁状の蓋縁部３２が配置されている。縁状の蓋縁部３２は、前方に配置した前蓋縁部３３と、側方に配置した側蓋縁部３４、３４と、後方に配置した後蓋縁部３５とを有する。
【００１８】
また、蓋部３０は、上述のロック部２５、２５と係合する被ロック部３６、３６を有する。被ロック部３６、３６は、孔状の孔部３６ａ、３６ａを有している。孔状の孔部３６ａ、３６ａに、上述の突起状のロック部２６、２６が係合することで、蓋部３０を本体部３０に対して閉じた状態を維持することができる。
【００１９】
また、第２凹部３１において、縁状の前蓋縁部３３と平行であり、かつ、薄板状であって、上方に屹立した前リブ３３ａ、３３ａを有している。また、また、第２凹部３１において、縁状の側蓋縁部３４、３４と平行であり、かつ、薄板状であって、上方に屹立した側リブ３４ａ、３４ａを有している。
【００２０】
上記構成のマスクケース１０において、蓋部３０を閉じる。この状態において、本体部２０における前縁部２３は、蓋部３０における前リブ３３ａと、前縁部３３との間に配置される（図４参照）。また、本体部２０における側縁部２４、２４は、蓋部３０における側リブ３４ａ、３４ａと、側縁部３４、３４との間に配置される（図５参照）。これによりマスクケース１０を閉じたときに蓋部３０がずれることなく、そのマスクケース１０の剛性を保つことができる。
【００２１】
また、マスクケース１０が閉じた状態において、縁状の蓋縁部３２における側蓋縁部３４、３４と、後蓋縁部３５とは、外延部２８に載置される。また、前蓋縁部３３は、突起部２７に載置される。
【００２２】
上記構成のマスクケース１０は、使用したマスクＭを一時的に保管することができる。例えば外出時において、食事の際に一時的にマスクを外す場合に、使用したマスクＭをテーブルに置くと、ウイルスがそのテーブルに付着するのではといった恐れがある。しかしながら、上述のマスクケース１０にマスクＭを配置すればそのような恐れを可及的に回避することができる。
【００２３】
また、マスクケース１０内に、マスクＭを配置し、さらに消毒液を噴霧すれば、マスクＭを消毒することができる。また、外出の際にそのマスクケース１０に予備のマスクＭを入れて、持ち運ぶことができるので、その予備のマスクＭを衛生的に保管することができる。
【符号の説明】
【００２４】
１０  マスクケース
２０  本体部
２１  第１凹部
２２  縁部
２３  前縁部
２４  側縁部
２５  後縁部
２６  ロック部
２７  突起部
３０  蓋部
３１  第２凹部
３２  蓋縁部
３３  前蓋縁部
３３ａ  前リブ
３４  側蓋縁部
３４ａ  側リブ
３５  後蓋縁部
３６  被ロック部
３６ａ  孔部
４０  連結部
【図１】
0003229806.tif 000003
【図２】
0003229806.tif 000004
【図３】
0003229806.tif 000005
【図４】
0003229806.tif 000006
【図５】
0003229806.tif 000007
【図６】
0003229806.tif 000008